Podtech/llm-jp-corpus-v4-ja_patent huggingface dataset:
(57)【要約】      （修正有）【課題】最近の各家庭では飲料水の使用は、ペットボトルの水を購入して使用するため、水道水の飲料水としての使用は大きく減少している。一方、水洗トイレや自家用車の普及により、洗浄や洗車に水道水を多く使用している。夏の日や暑い日には、道路や空き地に散水することで、地球温暖化防止に協力している。水道水を使用することで水道料金が大きく上がる。【解決手段】自然の恵みの雨水を利用して水道水の使用を減少させる。屋根で集められた雨水が、竪といで下水に捨てられる。下水に入る前にといに穴を開けて雨水を取り出す。穴のところに５０リットルほど入るタンクかバケツを置き、雨水を貯めて庭の木や花に与えたり、暑い日には少しでも環境をよくするため、道路や空き地の散水に使用する。【選択図】図１
0003136258.tif 000002
【実用新案登録請求の範囲】
屋根からの雨水を，竪といに穴を開け，穴から雨水を取り出すことが出来る装置。
【考案の詳細な説明】
［考案の詳細な説明］
屋根面を流れる雨水を，軒先のといで集めて，地上又は下水に捨てていた。民家の屋根から建物の側面を通っている，管状の竪といの中の雨水を地上や，下水管に流れる前に，竪といに穴を開け，雨水が穴より下に行かない様に円形の板を穴の下に付ける。雨水が板の上に溜まり，といの穴から外に流れ出る。
この雨水を、バケツやタンクに受け、乾燥した日に木や花に与える水として使用します．
【考案の効果】
水道水を使用して木や花を育てていたが、雨水を使用することで自然の大切さが、家庭で教育ができる。大切な節水ができる。
【図面の簡単な説明】
【図１】  竪といに穴を開けた正面図
【図２】  竪といに穴を開けた側面図
【符号の説明】
イ  といに開けた穴  ロ  雨水を受ける丸い板
【図１】
0003136258.tif 000003
【手続補正書】
【提出日】平成18年3月24日(2006.3.24)
【手続補正１】
【補正対象書類名】実用新案登録請求の範囲
【補正対象項目名】全文
【補正方法】変更
【補正の内容】
【実用新案登録請求の範囲】
【請求項１】
屋根からの雨水を竪といに穴を開け、穴から雨水取り出すことの出来る装置。屋根からの竪といを、その状態のままで６ｃｍのといであれば、地上から８０ｃｍぐらの位置に、ドリルで直径４ｃｍほどの穴を、水を取り出す面にだけ開ける。すこし三日月型をした長さ８ｃｍ横４ｃｍほどの板を製作して、凹んだ方が上になるように開けた穴に入れる。奥を少し高くして、水が外に流れやすく成るように板を取り付ける。
といに入れる板の横幅を狭くすれば、雨水の取りだしが少なくなり、板の幅を変えることで、取り出す水の量を調整できる。
【手続補正２】
【補正対象書類名】図面
【補正対象項目名】全図
【補正方法】変更
【補正の内容】
【図１】
0003136258.tif 000004
【図２】
0003136258.tif 000005
【手続補正書】
【提出日】平成18年6月27日(2006.6.27)
【手続補正１】
【補正対象書類名】実用新案登録請求の範囲
【補正対象項目名】全文
【補正方法】変更
【補正の内容】
【実用新案登録請求の範囲】
【請求項１】
［屋根に降った雨水を竪といに穴を開けて取り出す装置］
日本の家は木造建築が多く屋根に降った雨水は、といに集め竪といにて地底の下水管や河川に捨てている、この捨てている雨水を利用出来る様に考案した装置です
１  地上に出ている竪といより雨水を取り出したい所に図面１のイの様に竪といの片面に穴を開ける。
２  図面１、２のロの様な長方型の板を製作する。
３  長方型の板は図面１の様に表面が凹み丸みが出来る様に入れる同時に図面２のロの様に奥が高く成るように板をいれる
以上１．２．３．を組み合わす事で装置が完成し雨水が取り出される。
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
屋根に降った雨水を竪といに穴を開けて取り出す装置
〔考案の方法〕
１  屋根からの竪といに、  雨水を取り出したい所に図面１のイの様に竪といの片面に穴を開ける。
２  図面１．２．の  ロ．の様な長方形の板を製作する。
３  長方形の板は図面１．の様に表面が凹み丸みが出来る様に入れる。
同時に図面２．の  ロ．の様に奥が高くなるように板を入れる。
以上１．２．３．を組み合わす事で、屋根に降った雨水を竪といに穴を開け、穴から雨水を取り出す装置が完成します。
〔図面の簡単な説明〕
〔図面１〕  竪といに穴を開け雨水を受ける板を入れた正面図
〔図面２〕          図面１の側面図
〔符号の説明〕  イ．竪といに開けた穴    ロ．雨水を受ける板
【手続補正書】
【提出日】平成18年11月14日(2006.11.14)
【手続補正１】
【補正対象書類名】実用新案登録請求の範囲
【補正対象項目名】全文
【補正方法】変更
【補正の内容】
【実用新案登録請求の範囲】
【請求項１】
［屋根に降った雨水を竪といに穴を開けて取り出す装置］
〔考案の方法〕
屋根からの竪といに，雨水を取り出したい所の片面に穴を開け、長方型の板の表面が凹む様に穴から奥まで入れ、奥を少し高くして雨水が流れやすくして板を固定する、このような構造を有する装置。
〔図面の簡単な説明〕
〔図面  １〕    竪といに穴を開け雨水を受ける板を入れた正面図
〔図面  ２〕    図面  １の側面図
〔符号の説明〕  イ  竪といに開けた穴      ロ  雨水を受ける板
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
屋根に降った雨水を竪といに穴を開けて取り出す様にした装置。
雨水を取り出したい位置の竪といに穴をあけ、竪といの内側を流れ落ちてきた雨水を、上面が凹んだ板を穴から入れ、といから取り出せる様に考案した装置。
【手続補正２】
【補正対象書類名】明細書
【補正対象項目名】全文
【補正方法】変更
【補正の内容】
【考案の詳細な説明】
【考案の詳細な説明】
【０００１】屋根に降った雨水を竪といにて下水道や河川に捨てていたが図面のように竪といに穴を開け雨水を取りだし利用する。
雨水を取り出す為に竪といの穴より入れた板の中を変えることで雨水の取り出す量を変える事が出来る。
【考案の効果】
【０００２】竪といの雨水が出てくる所に水を貯めるタンク設置する。
この雨水を利用し夏の気温の高い時に打ち水や植木や花壇の水やりに利用する。
節水に対して大きな効果が期待できる。
地球温暖化等の個人の意識向上になる。
【図面の簡単な説明】
【０００３】
【図１】竪といに穴を開け雨水を受ける板を入れた正面図
【図２】図面１の側面図
【符号の説明】
【０００４】イ    竪といに開けた穴
ロ    雨水を受ける板
【手続補正書】
【提出日】平成19年6月12日(2007.6.12)
【手続補正１】
【補正対象書類名】実用新案登録請求の範囲
【補正対象項目名】全文
【補正方法】変更
【補正の内容】
【実用新案登録請求の範囲】
【請求項１】
屋根に降った雨水を竪といに穴を開け取り出す様に考案した装置。
(57)【要約】【課題】配管の外径を、目盛を読み取ることなく測定できるゲージを提供することを課題とする。【解決手段】配管測定用ゲージとして、板体からなる本体１０と、前記本体１０の縁部に形成される２以上の、所定の配管の断面形状を構成する円の外周に合致する円弧状の切り欠きからなる円弧部２０とを有する。さらに望ましくは、前記本体１０に直線状の縁部を設け、当該縁部に２以上の、所定の配管の肉厚と等しい幅だけ離れた目盛からなる肉厚ゲージ部３０を形成する。【選択図】  図１
0003136244.tif 000002
【実用新案登録請求の範囲】
【請求項１】
板体からなる本体と、
前記本体の縁部に形成される２以上の、所定の配管の断面形状を構成する円の外周に合致する円弧状の切り欠きからなる円弧部と
を有する配管測定用ゲージ。
【請求項２】
前記本体は直線状の縁部があり、当該縁部に形成される２以上の、所定の配管の肉厚と等しい幅だけ離れた目盛からなる肉厚ゲージ部を有する請求項１に記載の配管測定用ゲージ。
【考案の詳細な説明】
【技術分野】
【０００１】
本考案は、配管工事において管径を測定するために使用するゲージに関する。
【背景技術】
【０００２】
配管は、内部を通す液体、気体の種類や使用圧力に応じて外径や肉厚を定める必要がある。このため、実際の現場においては、配管の外径をノギスや定規で測定してサイズを確認していた。
【考案の開示】
【考案が解決しようとする課題】
【０００３】
しかし、ノギスや定規は目盛を読み取る必要があり、現場での作業は煩雑になってしまうという問題がある。
本考案は、このような問題に鑑みて、配管の外径を目盛を読み取ることなく測定できるゲージを提供することを課題とする。
【課題を解決するための手段】
【０００４】
上記課題を解決するために、本考案は次のような構成を有する。
請求項１に記載の考案は、板体からなる本体と、前記本体の縁部に形成される２以上の、所定の配管の断面形状を構成する円の外周に合致する円弧状の切り欠きからなる円弧部と
を有する配管測定用ゲージである。なお、配管には被覆に覆われたものが含まれ、この場合の断面形状は被覆を含んだ円形となる。
請求項２に記載の考案は、前記配管測定用ゲージにおいて、前記本体は直線状の縁部があり、当該縁部に形成される２以上の、所定の配管の肉厚と等しい幅だけ離れた目盛からなる肉厚ゲージ部を有するものである。
【考案の効果】
【０００５】
請求項１に記載の考案は、目的とする配管に合致する円弧部を有する配管測定用ゲージを用いることで、配管の外周面に円弧部を当て、円弧部の縁部すべてが外周面に接触するかどうかで目的とする配管かどうかがわかるので、目盛を読むという煩雑な作業がなくなり、作業効率を向上させることができる。
請求項２に記載の考案は、配管を選択する際には、配管の外径に加えて配管の肉厚が定まっている場合があるが、このような場合において、目的とする肉厚に合致する肉厚ゲージを有する配管測定用ゲージを用いれば、肉厚ゲージ部を配管端部に当てることで目的とする肉厚かどうかを直ちに判断することができるので、やはり、作業効率を向上させることができる。
【考案を実施するための最良の形態】
【０００６】
以下、本考案の実施形態について、図を参照しながら説明する。
図１（ａ）〜（ｅ）に本実施形態に係る配管用ゲージＸa〜Ｘeの正面図を示す。配管用ゲージＸa〜Ｘeは、略正方形状の板体からなる本体部１０の各縁部に半円状の切り欠きからなる円弧部２０もしくは、細い矩形の切り欠きからなる肉厚ゲージ部３０が形成されている。また、本体部１０の図上における左上部には貫通した穴４０が設けられている。穴４０は各配管用ゲージＸa〜Ｘeをリングなどで束ねる際に使用する。
円弧部２０の近傍には円弧部が合致する配管の外径を示す数値２０ａが描かれている。また、肉厚ゲージ部３０の近傍にも、矩形の幅と合致する肉厚を示す数値３０ａが描かれている。配管用ゲージＸａ〜Ｘｅは、冷媒配管用のものであり、円弧部および肉厚ゲージ部は冷媒配管に用いられる管径及び肉厚に応じて定められている。
【０００７】
次に、以上のような構成を有する配管用ゲージＸａ〜Ｘeの使用方法について説明する。使用者は、配管工事をする際に、使用する冷媒ガスに応じて規格で定められた管径および肉厚を調べる。そして、配管用ゲージＸａ〜Ｘeから調べた管径に合致する円弧部２０及び肉厚ゲージ３０を有するものを数値２０ａ、３０ａをもとに選択する。そして、予め用意してある複数の冷媒配管のそれぞれに選択した配管用ゲージの求める管径に合致する円弧部２０を当てて、目的とする管径を有する配管を調べていく。合致する配管が見つかったら、さらに、求める肉厚に合致する肉厚ゲージ部３０を配管端部に表れる配管の厚みに当てて、求める肉厚を有するかどうかを調べる。このような作業を行うことにより目的とする管径と肉厚を有する配管を抽出することができる。
このように、本実施形態に係る配管用ゲージを用いれば、配管の抽出作業において目盛を読むことが必要なく、円弧部２０及び肉厚ゲージ部３０を当てていくだけでよいので作業性が非常に良くなる。
【図面の簡単な説明】
【０００８】
【図１】（ａ）〜（ｅ）は実施形態に係る配管用ゲージの正面図である。
【符号の説明】
【０００９】
Ｘa〜Ｘe  配管用ゲージ 
１０    本体
２０    円弧部
３０    肉厚ゲージ部
【図１】
0003136244.tif 000003
(57)【要約】【課題】従来の盗難防止システムのような多額の投資を必要とすることなく、小規模店舗でも容易に実施可能な盗難対策手段を提供すること。【解決手段】本考案による音声発生装置付きタグは、移動により音声を発生させる音声発生装置３と、音声発生装置３に接続されたタグ１の組み合わせであることにより、上記課題を解決する。好適には、音声発生装置３は鈴である。前記音声発生装置付きタグは、商品に取り付けるための紐２をさらに備え、音声発生装置３が紐２に取り付けられていてもよい。【選択図】図１
0003132911.tif 000002
【実用新案登録請求の範囲】
【請求項１】
移動により音声を発生させる音声発生装置と、前記音声発生装置に接続されたタグの組み合わせ。
【請求項２】
前記音声発生装置が鈴である、請求項１に記載の組み合わせ。
【請求項３】
商品に取り付けるための紐をさらに備え、前記音声発生装置が前記紐に取り付けられている、請求項１又は２に記載の組み合わせ。
【請求項４】
前記音声発生装置に装飾が施された、請求項１乃至３のいずれかに記載の組み合わせ。
【考案の詳細な説明】
【技術分野】
【０００１】
本考案は、商品等に付される各種のタグに関し、特に、紐付きのタグに関する。
【背景技術】
【０００２】
現在、いわゆる万引きなどによる商品の盗難を防ぐために、商品に電子タグを付し、別途売場出入口に設けたゲートにおいて電子タグの情報を検出し、商品が正当に購入されたものでない場合にはブザーが鳴る盗難防止システムが小売店に普及している。
【０００３】
上記盗難防止システムは商品の盗難を確実に防ぐためには非常に優れているが、導入に多額の費用を要するという欠点がある。すなわち、導入店は少なくともゲートの購入・設置費用と電子タグの購入費用を負担しなければならない。また、上記システムは一般にＰＯＳ（販売時点管理）システムと連動したものであるため、ＰＯＳシステム全体の導入費用として一店舗当たり数百万円の費用を要することも珍しくない。
【０００４】
上記盗難防止システムの導入に多額の費用を要する結果、同システムを導入することができるのは資金力のあるチェーン店や大規模店舗に限られ、個人営業などの小規模の店舗では依然同システムを設置していないことが多い。そのため、多くの小規模店舗は現在も万引き対策に悩まされている。
【特許文献１】特開２００６−４３１９７公報
【考案の開示】
【考案が解決しようとする課題】
【０００５】
本考案が解決しようとする課題は、従来の盗難防止システムのような多額の投資を必要とすることなく、小規模店舗でも容易に実施可能な盗難対策手段を提供することである。
【課題を解決するための手段】
【０００６】
本考案による音声発生装置とタグの組み合わせは、移動により音声を発生させる音声発生装置と、前記音声発生装置に接続されたタグの組み合わせであることにより、上記課題を解決する。
【０００７】
好適には、前記音声発生装置は鈴である。前記組み合わせは、取り付けるための紐をさらに備え、前記音声発生装置が前記紐に取り付けられていてもよい。また、前記音声発生装置には装飾が施されていてもよい。
【考案の効果】
【０００８】
本考案の音声発生装置とタグの組み合わせによれば、小売店がゲートや電子タグを含む高額な盗難防止システムの費用を負担することなく、極めて容易に盗難抑止効果を得ることができる。
【考案を実施するための最良の形態】
【０００９】
以下、図面を参照しながら本考案の実施の形態について説明する。
【実施例１】
【００１０】
図１は、本考案の一実施例による鈴付きタグを示す斜視図である。タグ１には穴４が設けられており、穴４には鈴付きタグを商品（図示せず）に取り付けるための紐２が通されている。紐２はループを形成しており、紐２上の一箇所に鈴３が留められている。タグ１の材質としては、紙、合成繊維、天然繊維、合成樹脂等が使用される。
【００１１】
なお、図１においては、紐２はループを形成しているが、必ずしもループを形成する必要はなく、穴４を通ってさえいれば良い。また、紐２は各種の糸、金属又はプラスチック製のワイヤー等によっても代替され得る。鈴３が紐２に留められる方法としては、紐２を鈴３に設けられた穴に通して結ぶことにより固定する方法や、接着剤により固定する方法など、任意の方法が用いられる。
【００１２】
鈴３は、移動させることにより内部の構造物が連続的に外郭に衝突して振動することにより音を発生させる公知の鈴である。なお、移動により物理的に音を発生させる装置であれば、鈴と呼ばれるものでなくても鈴３の代わりに使用することが可能である。鈴３の材質としては、鉄、銅、亜鉛等の各種金属、合成樹脂等が使用される。
【００１３】
図１に示す鈴付きタグが商品に取り付けられた状態において、商品を動かすと、鈴３が移動により音を発生させる。もし万引きを意図する者が商品を不正に店外に持ち出そうとした場合、鈴３が発生させる音により、店員はこれを容易に察知することができる。また、万引きを意図する者自身も、鈴３が発生する音により店員が察知することを警戒して、万引きの実行を躊躇するという抑止効果がある。
【実施例２】
【００１４】
図２は、図１の鈴３を文字装飾が付された鈴５に置き換えた実施例を示す。鈴５に付す文字装飾としては、ブランド名、商品名、各種の品質表示や注意書き等を付すことが可能である。また、鈴５のように鈴自体の形状を直方体や円錐形、角錐形等任意の形状に変更することにより、商品に鈴付きタグを付することが、防犯効果に留まらず装飾効果をももたらすことになる。
【産業上の利用可能性】
【００１５】
小売店において販売する各種の商品に適用することができる。特に、被服、鞄等の商品についての利用に適している。
【図面の簡単な説明】
【００１６】
【図１】本考案の一実施例による鈴付きタグを示す斜視図である。
【図２】本考案の鈴を文字装飾が付された鈴に置き換えた実施例を示す図である。
【符号の説明】
【００１７】
１  タグ
２  紐
３，５  鈴
４  穴
【図１】
0003132911.tif 000003
【図２】
0003132911.tif 000004
【手続補正書】
【提出日】平成19年4月16日(2007.4.16)
【手続補正１】
【補正対象書類名】図面
【補正対象項目名】全図
【補正方法】変更
【補正の内容】
【図１】
0003132911.tif 000005
【図２】
0003132911.tif 000006
(57)【要約】      （修正有）【課題】タオル本来の形状をくずす事なく帽子にする事で、タオルとしての機能は残しつつ帽子としても使用できるようにした付加価値があり、商品価値のあるデザイン柄で消費者の購買意欲と販売側のアピール力をも高めた、帽子にもなるタオルを提供する。【解決手段】長方形状のタオル１０の後頭部１に留め合わせる事の出来る部材３，４を付け、結び合わせる部分の生地６を薄くし、額部２にデザイン柄５を入れた事を特徴とする帽子にもなるタオル。【選択図】図１
0003132934.tif 000002
【実用新案登録請求の範囲】
【請求項１】
長方形状のタオル（１０）の後頭部（１）の内２箇所（３，４）をマジックテープ・ボタン・紐等の留め合わせる事の出来る部材を付け、結び合わせる部分の生地（６）を薄くし、額部（２）にマーク・ロゴ・紋章・文字・キャラクター等のデイン（５）を刺繍・プリント・印刷・ジャガード織り等で入れた事を特徴とする帽子にもなるタオル。
【考案の詳細な説明】
【考案の詳細な説明】
【技術分野】
【０００１】本考案は、タオルとしての機能は果たしつつ、帽子にもなるタオルに関する。
【背景技術】
【０００２】従来のタオルは実用品としての機能が強く、付加価値を付けるなどの進歩性がなかった。そのため消費者の購買意欲と販売側のアピール力も損なわれていた。
【考案が解決しようとする課題】
【０００３】従来のタオルは、濡れた顔などを拭くために作られたものだった。時として頭に被る事はあったが外観のオシャレ感はなく、後頭部にあたる生地の納まりも悪く、結ぶと厚みがでるためゆるんだり、後頭部に比重がかかるため後ろにずれたり、結んだ左右の長さが違ってしまうなどして被りずらかった。仮に被りやすくしようと長方形以外の形状にしてしまうと、干しやすい、しわになりにくい、畳みやすいなど長方形ならではの扱いやすさが損なわれてしまった。
【０００４】そこで本考案は、タオルとしての機能は果たしつつ、帽子としても被れるようにする事で付加価値を付けると共に、帽子としての機能・デザイン面でも優れた従来にない帽子にもなるタオルを提供する事を課題とする。
【課題を解決するための手段】
【０００５】上記課題を解決するために、タオルの形状を維持する事でタオルとしての機能は残しつつ、被った際に後頭部となる内２箇所をマジックテープ・ボタン・紐等の留めあわせる事の出来る部材を付け立体的にし納まり良くし、結び合わせる部分の生地を薄くしほずれを防ぐと共に軽量になる事で後ろへのずれも防ぎ、額部にマーク・ロゴ・紋章・文字・キャラクター等のデザインを刺繍・プリント・印刷・ジャガード織り等で入れ中心を分かりやすくする事で同じ長さに結べるようにし帽子としての機能も付けると共に、タオルのもつ機能性で従来の帽子の機能面でのデメリットを解消した事、商品価値の高いデザイン柄を入れている事を特徴とする帽子にもなるタオルを提供する。
【考案の効果】
【０００６】よって本考案の帽子にもなるタオルにより、タオルとしての機能を果たすと共に帽子としても被れるようになった。また帽子としての機能面では従来の帽子のように手洗いやクリーニングに出す手間はなく洗濯機で手軽に洗え、カバン等に入れても嵩張ったり潰れたりする事なくコンパクトにしまえ、手ぶらでも直にかければ荷物にならず、額から汗が流れ落ちてくる事も無くなった。そしてデザイン面では、１２球団・プロサッカーチーム・プロバレーボールチームなどプロスポーツチームのマーク等の柄を入れれば、今迄になかったタオルの機能をもつサポーター用帽子として扱え、特に野球のように帽子グッズのないスポーツのサポーターには利用価値のあるものとなったり、一般団体用ではチーム名を入れ軽いユニホーム的なものにしたり、贈答品としてはインパクトあるデザイン柄を入れ利用者を増やし、会社・ホテルなど送る側の宣伝効果を高めるなど消費者の購買意欲と販売側のアピール力を高めた帽子にもなった。
【考案を実施するための形態】
【０００７】本考案に係わる帽子にもなるタオルは、長方形のタオル（１０）で形成され、図１に示すように、後頭部（１）にマジックテープ・ボタン・紐等の留め合わせる事の出来る部材を付け、結び合わせる部分の生地（６）を薄くし、額部（２）にマーク・ロゴ・紋章・文字・キャラクター等のデザイン（５）を刺繍・プリント・印刷・ジャガード織り等で入れたものである。
【図面の簡単な説明】
【０００８】
【図１】本考案に係わる帽子にもなるタオルの平面図である。
【図２】本考案に係わる帽子にもなるタオルを被った時の参考図である。
【符号の説明】
【０００９】１  後頭部
２  額部
３  ４を留め合わせる事の出来る部材
４  ３を留め合わせる事の出来る部材
５  デザイン柄
６  結び合わせ部分
１０  長方形のタオル
【図１】
0003132934.tif 000003
【図２】
0003132934.tif 000004
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
長方形状のタオル（１０）の長辺端付近の中心部から左右２箇所（３，４）を面ファスナー・ボタン・紐等の留め合わせる事の出来る部材を付け、長方形状のタオルの短辺の両端付近の生地（６）を薄くし、長方形状のタオルの長辺端付近で留め合わせる事の出来る部材を付けていない方の中心部（２）にマーク・ロゴ・紋章・文字・キャラクター等のデザイン（５）を刺繍・プリント・印刷・ジャガード織りで入れた事を特徴とする帽子にもなるタオル。
【手続補正２】
【補正対象書類名】明細書
【補正対象項目名】０００５
【補正方法】変更
【補正の内容】
【０００５】上記の課題を解決するために、タオルの形状を維持する事でタオルとしての機能は残しつつ、被った際に後頭部となる内２箇所を面ファスナー・ボタン・紐等の留め合わせる事の出来る部材を付け立体的にし納まり良くし、結び合わせる部分の生地を薄くしほずれを防ぐと共に軽量になる事で後ろへのずれも防ぎ、額部にママーク・ロゴ・紋章・文字・キャラクター等のデザインを刺繍・プリント・印刷・ジャガード織りで入れ中心を分かりやすくする事で同じ長さに結べるようにし帽子としての機能も付けると共に、タオルのもつ機能性で従来の帽子の機能面でのデメリットを解消した事、商品価値の高いデザイン柄を入れている事を特徴とする帽子にもなるタオルを提供する。
【手続補正３】
【補正対象書類名】明細書
【補正対象項目名】０００７
【補正方法】変更
【補正の内容】
【０００７】本考案に係わる帽子にもなるタオルは、長方形のタオル（１０）で形成され、図１に示すように、後頭部（１）に面ファスナー・ボタン・紐等の留め合わせる事の出来る部材を付け、結び合わせる部分の生地（６）を薄くし、額部（２）にマーク・ロゴ・紋章・文字・キャラクター等のデザイン（５）を刺繍・プリント・印刷・ジャガード織りで入れたものである。
(57)【要約】      （修正有）【課題】粘着面の粘着材を最小限にし、被接着面に接着する面積を小さくすることで、被接着面の表面もしくは塗料等の剥離を防ぐ粘着養生テープの提供。【解決手段】粘着養生テープ２の粘着面の粘着材３をテープ巾の片側のみに帯状に塗付する。例えば養生テープ巾２０ｍｍとした場合、粘着材を粘着面の片側に５ｍｍだけ設ける。粘着養生テープとして、建築用又一般用に利用出来る。【選択図】図１
0003132967.tif 000002
【実用新案登録請求の範囲】
【請求項１】
粘着養生テープの粘着材を、テープ巾の片側のみに帯状に塗付することを特徴とする、粘着養生テープ。
【考案の詳細な説明】
【技術分野】
【０００１】  本考案は、建築、塗装及び一般用粘着養生テープに関するものである。
【背景技術】
【０００２】  建築用コーキング工事、塗装工事及びポスター制作時等に、粘着養生テープを使用するが、作業終了後に粘着養生テープを剥がす際、被接着面の表面及び被接着面の塗料が剥離する場合がある。
【考案の開示】
【考案が解決しようとする課題】
【０００３】  上述の如く、被接着表面の弱い物（画用紙等）や、塗装が比較的剥がれやすい被接着体（ケイ酸カルシウム板等）に粘着養生テープを使用した場合、作業終了後粘着養生テープを剥がす際、前述の画用紙等の表面や、前述のケイ酸カルシウム板等に施した塗料が、剥離する場合がある。【０００４】  本考案は、このような点に鑑みて成されたものであり、その目的は、粘着養生テープの粘着面の粘着材を最小限にし、被接着面に接着する面積を小さくすることで、被接着面の表面もしくは塗料等の剥離を防ぐことである。
【課題を解決するための手段】
【０００５】  上述の目的を達成する本考案の剥離防止粘着養生テープは、粘着面の粘着材をテープ巾の片側のみに帯状に塗付することを特徴とする。
【考案の効果】
【０００６】  以上説明したように、本考案によれば、粘着養生テープ表面積に対して、粘着面の粘着材面積は小さいため、通常の粘着養生テープと比較するなら、被接着面の表面もしくは塗料等の剥離を最小限に抑える事が出来るので、極めて有効である。
【考案を実施するための最良の形態】
【０００７】  以下、本考案の実施の形態を図面に基づき詳細に説明する。【０００８】  図１は本考案の第一の実施の形態に係り、図１はその斜視図。【０００９】  図１に示すように、本剥離防止粘着養生テープ１は、養生テープ２に、粘着材３を養生テープ裏面、片側に帯状に設けたものである。
【実施例１】
【００１０】  剥離防止粘着養生テープは、例えば養生テープ巾２０ｍｍとした場合、粘着材を粘着面の片側に５ｍｍだけ設ける事で、養生可能な巾は２０ｍｍであるが、被接着面に接着する部分は５ｍｍのみであるので、被接着面の表面もしくは被接着面の塗料等が剥離する可能性は、大幅に少なくなる。
【産業上の利用可能性】
【００１１】  本考案は、粘着養生テープとして、建築用又一般用として、製造と販売する産業分野で利用する事が出来る。
【図面の簡単な説明】
【００１２】
【図１】  本考案の第一の実施形態に係る、剥離防止粘着養生テープの斜視図である。
【符号の説明】
１  剥離防止粘着養生テープ
２  養生テープ
３  粘着材
【図１】
0003132967.tif 000003
(57)【要約】      （修正有）【課題】芯部の面に印刷された広告文字等が良く見え、ロゴ等浮遊物を封入する場合も素材を選ばず、また、軽い底部クリーナー布でパソコン画面を拭けるパソコン用リストレストを提供する。【解決手段】パソコン用リストレストのクッション部を空気を入れて作り、底部に画面クリーナー布を張ったものである。画面クリーナー布と芯部の樹脂板の間にスポンジを挟み、その上に空気の入る空間を持つドーム型の透明樹脂を乗せ、周囲を熱溶着する。【選択図】図１
0003132961.tif 000002
【実用新案登録請求の範囲】
【請求項１】
パソコン使用時に、手首を乗せ疲れを和らげるリストレストを、２枚の樹脂板の間に空気を入れ形づくり底部にパソコンの画面を拭くクリーナー布を張った物。
【考案の詳細な説明】
【技術の分野】
【０００１】本考案は手首を乗せるドーム型のクッション部に空気を入れ、底部に画面を拭くクリーナー布を張ったパソコン用リストレストである。
【背景技術】
【０００２】リストレストにはクッション部に、スポンジ、ジェル、水等を使用している。底部は、樹脂等で作られている。
【考案の開示】
【考案が解決しようとする課題】
【０００３】リストレストのクッション部がスポンジ、ジェル、水の物は重く、又そこに浮遊物を入れる場合材質が限られる。底部が樹脂等で作られているので画面が拭けない。
【課題を解決するための手段】
【０００４】リストレストのクッション部をドーム型の樹脂で作り、空気を入れ底部にパソコン画面を拭くクリーナー布をはりつける。
【考案の効果】
【０００５】リストレストの手首を乗せる部分を透明の樹脂で作る事で、芯部の面に印刷された広告文字等が良く見え、中が空気なのでロゴ等浮遊物を封入する場合も、素材を選ばない。また、軽い。底部クリーナー布でパソコン画面を拭ける。
【考案を実施するための最良の形態】
【０００６】底部の画面クリーナー布と芯部の樹脂板の間にスポンジを挟み、その上に空気の入る空間のあるドーム型の透明樹脂を乗せ、周囲を熱溶着する。
【図面の簡単な説明】
【０００７】
【図１】  空気入りクリーナー付きパソコン用リストレストの正面図である。
【図２】  空気入りクリーナー付きパソコン用リストレストの断面図である。
【符号の説明】
【０００８】１  ドーム型手首乗せ部分
２  芯部
３  スポンジ
４  クリーナー
【図１】
0003132961.tif 000003
【図２】
0003132961.tif 000004
(57)【要約】      （修正有）【課題】車などを洗う時に使うブラシは、手軽で使い易い物であるが、柄を伝ってグリップ部に水が流れてくる為、袖口が濡れて不快な思いをする。このグリップ部への水の流れを止めて、快適に作業出来るようにする。【解決手段】ブラシの柄２の部分にもどり部３を付けることで、もどり部の始点４より垂れ水は排水され、グリップ５への水流は阻止される。【選択図】図１
0003132962.tif 000002
【実用新案登録請求の範囲】
【請求項１】
任意の支持点より、相反する方向に角度を付け、グリップ側をブラシ側に戻す、もどり部を付け、水の流れをグリップ部へ伝えない洗浄ブラシ。
【考案の詳細な説明】
【考案の詳細な説明】
【考案が解決しようとする課題】
【０００１】  車などを洗う時に使うブラシは、手軽でとても使い易い物で、いろいろな用途に使用出来る物で有るが、ブラシ部に含んだ水が柄を伝い、グリップ部の方へ流れてくる為、袖口が濡れて不快な思いをする。本考案は、この欠点を解決する為に考案された。
【課題を解決する為の手段】
【０００２】  上記問題を解決する為には、流れてくる水を途中で排水する事が最良と考え、図を使い説明すれば、ブラシ部（１）から伸びる柄の部分（２）に、もどり部（３）を付ける事で、もどり部の始点（４）より、ブラシ部から流れてくる垂水は排水され、グリップ部（５）への水流は阻止される。
【考案の効果】
【０００３】  このように、もどり部（３）を付ける事で、もどり部の始点（４）より、水は排水され、垂れ水のグリップ部への水流を阻止出来ると同時に、もどり部は、角度が同じならどの位置に付けても水流阻止の効果は変わらない為、力を入れる作業用には、もどり部を利用してグリップ部をブラシの位置まで持ってくるように製作された物を使う事で、ブラシを押付けるように作業できたり、洗浄部が、一律に平らな部分ばかりでない場合などは、もどり部をグリップ部の近くに持ってくるように製作された物を使えば、狭い所の奥までブラシを差し込み易くなるし、もどりの部分に手を保護される等の効果もある。
【図面の簡単な説明】
【図１】柄の部分にもどり部を要する洗浄ぶらしの斜視図
【図２】柄の部分にもどり部を要する洗浄ブラシの側面図
【符号の説明】
１  洗浄の為のブラシ部２  ブラシの柄３  もどり部４  もどり部の始点５  グリップ部６  任意の支持点
【図１】
0003132962.tif 000003
【図２】
0003132962.tif 000004
(57)【要約】【課題】  使用後はリサイクルできる材料で、かつ保管しておかなくても採算の取れるほど安価に製造できる打ち抜き型を提供する。【解決手段】  積層合板の代わりに木粉を樹脂で固めた合成板を使用し、コンピューターに記憶させたパターンに従ってレーザービームで刃を嵌める幅０．７ｍｍ程の貫通溝を掘る。合成板の厚さは１５ｍｍとし、刃の厚さ０．７ｍｍ、幅は２０ｍｍで、ボード表面から刃が５ｍｍ出るようにする。厚さ３ｍｍの裏打ち板で裏打ちし、板厚の合計が１８ｍｍになるようにして使用する。【選択図】図１
0003132970.tif 000002
【実用新案登録請求の範囲】
【請求項１】
面積３５ｃｍｘ４５ｃｍから１２０ｃｍｘ１８０ｃｍの間の、木粉を樹脂で固めた厚さ１５ｍｍの合成板に、コンピューターに記憶させてある打ち抜きパターンに従って、レーザービームで、刃を嵌めるための幅０．７ｍｍ程の貫通溝を掘り抜き、厚さ０．７ｍｍ、幅は２０〜２３ｍｍの鉄製の打ち抜き刃を、その溝に嵌めて作った打ち抜き型全体を、裏から厚さ３ｍｍの裏打ち板で裏打ちし、刃を嵌めた合成板と裏打ち板の板厚の合計を１８ｍｍになるようにして使用することを特徴とする打ち抜き型。
【請求項２】
全体がリサイクル可能な材料で作られている事を特徴とする請求項１記載の打ち抜き型。
【考案の詳細な説明】
【技術分野】
【０００１】  紙や布などをプレス機で打ち抜くための打ち抜き型に関する。
【背景技術】
【０００２】  従来様々な打ち抜き製品を作るために、プレス機に装着して打ち抜く、打ち抜き型が使われている。通常打ち抜き型としては、厚さ１８ｍｍの木製積層合板に、打ち抜く製品の形の鉄製の打ち抜き用の刃をきっちり嵌めて作られる。【０００３】  刃は厚さ０．７ｍｍ、幅は合板の厚さ１８ｍｍより更に５ｍｍほど大きな２３ｍｍである。合板には丁度その刃が嵌まる貫通溝が掘り抜いてある。もし刃を嵌める溝が連続して一巡していると、刃で囲まれた部分が脱落してしまう恐れがあるので、抜け落ちてしまわないように、ところどころ貫通溝を中断させて、その部分で型の内側と外側が繋げてある。【０００４】  合板の大きさは３５ｃｍｘ４５ｃｍから１２０ｃｍｘ１８０ｃｍの間であり、製品毎に異なった打ち抜き型を作り、註文に応じて製品を打ち抜いている。打ち抜き型は高価なので、通常それぞれの型は使用不可になるまで保管して、再使用する体制がとられている。【０００５】  積層合板は湿度、温度により経時変化を起こして狂って来る。１／１０ｍｍの精度を要求される打ち抜きに対しては、その狂いは、打ち抜かれるものの切断不良を起こしたり、刃を傷めたりする。その結果、業界用語で「白髪」と呼ばれる紙の極細のくずが製品に混入したりするトラブルを起こすことになる。【０００６】  打ち抜き型は製品単価に比べてかなり高価なものなので、時々修理しながら合計３０万ないし５０万ショット使用する。一度に続けてそんなに打つことは無いので、次回のためにその型を保管しておかねばならず、膨大な数の型を抱えることになる。従ってその保管場所の確保、在庫管理も大変な手間になる。また老朽化したりして使用不可になった型は廃棄処分することになる。合板部分と刃と刃の周辺に貼ってある押さえのスポンジに分別して処理するが、合板部分は焼却処分するしかなかった。
【考案の開示】
【考案が解決しようとする課題】
【０００７】  使用後はリサイクルできる材料で、かつ使用後保管しておかなくても採算が取れるほど、安価に製造できる打ち抜き型を提供する。
【課題を解決するための手段】
【０００８】  本考案は上記問題に鑑みてなされたものであり、積層合板の代わりに木粉を樹脂で固めた合成板を使用し、コンピューターに記憶させたパターンに従ってレーザービームで刃を嵌める幅０．７ｍｍ程の貫通溝を掘る。ボードの厚さは１５ｍｍとし、刃の厚さ０．７ｍｍ、幅は２０ｍｍのものを使用し、ボード表面から刃が５ｍｍ出るようにする。【０００９】  プレス機に打ち抜き型をセットする際に、厚さ３ｍｍの裏打ち板で裏打ちし、板厚の合計が１８ｍｍになるようにして使用する。
【考案の効果】
【００１０】    以上述べてきたように本考案の打ち抜き型を使用すれば、合成板は、リサイクルすることが可能であり、かつ合成板の価格は木製積層合板に比べて数分の一の価格なので、数万ショット打ち抜いた後、廃棄しても採算を取ることができ、打ち抜き型を長期間保管しておく必要が無い。型が再び必要になった折には、コンピューターに記憶させておいた情報を基に簡単に、再度打ち抜き型を作成することができる。
【考案を実施するための最良の形態】
【００１１】  厚さ１５ｍｍの合成板で、面積は３５ｃｍｘ４５ｃｍから１２０ｃｍｘ１８０ｃｍの間のものに、コンピューターに記憶させてある打ち抜きパターンに従って、レーザービームで打ち抜きプレス用の刃を嵌める貫通溝を掘る。０．７ｍｍ厚、幅２０ｍｍの鉄製の刃を嵌め、厚さ３ｍｍの裏打ち板と共に使用する。
【実施例】
【００１２】  本考案の実施例を図面に基づいて説明すると、図１は打ち抜き型の部分斜視図であり、厚さ１５ｍｍの合成ボード（例えばＭＤＦと呼ばれているもの）１に打ち抜きパターンに従った幅０．７ｍｍ程の貫通溝２を掘り抜き、厚さ０．７ｍｍ、幅２０ｍｍの刃３を嵌めてある。刃は５ｍｍ合成板から上に出る。刃の両側には打ち抜き作業に必要な押さえのスポンジ４が貼り付けてある。また打ち抜き型の裏には、裏打ち用の３ｍｍ厚の金属板５を重ねて使用する。
【産業上の利用可能性】
【００１３】  以上説明したように、本考案の打ち抜き型を使用すれば、全ての部材がリサイクルできるので、必要な折に手軽に型を作り、不要になった段階で分別して、リサイクル処理することができる。材料が安価なので型そのものの価格を下げることができ、保管場所、型の管理等の手間も省けるので、全体として製造に掛かる費用を著しく軽減することができる。また裏打ち板を当てているので、以前のように刃の背中がプレス盤に直接当たらず、プレス機の寿命を延ばすことができる。
【図面の簡単な説明】
【００１４】
【図１】打抜き型の部分斜視図。
【符号の説明】
【００１５】  １  合成板
２  刃を嵌める溝
３  刃
４  押さえのスポンジ
５  裏打ち用の金属板
【図１】
0003132970.tif 000003
(57)【要約】      （修正有）【解決手段】表面１に、ボトルのキャップの外形状に合致する穴２から、放射状に折り曲げねじられ先端を外側にまるめた筒型の突起３の差込み口を有した穴を上部に設け、その下部を前方へ折り曲げ、さらに、その先を下方へ折り曲げ、同じように２つ目の段４を設けてその内部に台に弾力性のあるゴム等で保護する５カバーを有した。テーブル台や机の台にさしはさみ固定させペットボトルやビンのふたを差し込み口に入れボトル本体を回転させ力を入れずに開けることの出来るふた開け器具。【効果】机やテーブルの台に固定して支点となるため、ふたを開けるため両手の指、手の平、手首への負担が少なく、容易にペットボトル及びビンのふたを開けることが出来る。そして、ゴムがクッションになり保護するため机やテーブルを傷つけることが少ない。【選択図】図１
0003132966.tif 000002
【実用新案登録請求の範囲】
【請求項１】
表面１に、ボトルのキャップの外形状に合致する穴２から、放射状に折り曲げねじられ先端を外側に丸めた筒型の突起３の差込み口を有した穴を上部に設け、その下部を前方へ折り曲、さらに、その先を下方へおりまげ、同じように２つ目の段４を設けてその内部に弾力性のあるゴム等で保護するカバー５を有した、テーブル台や机の台にさしはさみ固定させペットボトルやビンのふたを差し込み口に入れボトル本体を回転させ力を入れずに開けることの出来るふた開け器具。
【考案の詳細な説明】
【技術分野】
【０００１】  本考案は、表面１に、ボトルのキャップの外形状に合致する穴２から、放射状に折り曲げねじられ先端を外側にまるめた筒型の突起３の差込み口を有した穴を上部に設け、その下部を前方へ折り曲、さらに、その先を下方へおりまげ、同じように２つ目の段４を設けてその内部に台に弾力性のあるゴム等で保護する５カバーを有した、テーブル台や机の台にさしはさみ固定させペットボトルやビンのふたを差し込み口に入れボトル本体を回転させ力を入れずに開けることの出来るふた開け器具。
【背景技術】
【０００２】  従来のペットボトル、ビンのふた開け器具はキャップの外形に合致する合成樹脂性の円形筒状のものに手のひらで握る長さの柄をつけたもので、その握り手のところに指をいれそのまま握りハンドル部としてスパナのように回し、キャップの部分にボトルのふたを入れてボトル本体を回転させてあけるものであった。（例えば特許文献１参照）
【特許文献１】  特開２００４−２０３４７８
【考案の開示】
【考案が解決しようとする課題】
【０００３】  これは、初めてボトルのふたを開けるとき、力の弱い老人や爪の長い人、子供が両手の指、手首を痛めやすく、また障害を持っている人にとっては人に頼んだりすることもありかなり負担で、タイミングが悪いときは滑って落としやすいという欠点があった。
本考案は、これらの欠点を解決するものである。
【課題を解決するための手段】
【０００４】  本考案は、表面１に、ボトルのキャップの外形状に合致する穴２から、放射状に折り曲げねじられ先端を外側にまるめた筒型の突起３の差込み口を有した穴を上部に設け、その下部を前方へ折り曲、さらに、その先を下方へおりまげ、同じように２つ目の段４を設けてその内部に台に弾力性のあるゴム等で保護する５カバーを有した、テーブル台や机の台にさしはさみ固定させペットボトルやビンのふたを差し込み口に入れボトル本体を回転させ力を入れずに開けることの出来るふた開け器具。
本考案は、以上のような構成によりなるペットボトル及びビンのふた開け器具である。
【考案の効果】
【０００５】  机やテーブルの台に固定して支点となるため、ふたを開けるため両手の指、手の平、手首への負担がすくなく、容易にペットボトル及びビンのふたをあけることが出来る。そして、ゴムがクッションになり保護するため机やテーブルを傷つけることが少ない。
【考案実施の形態】
【０００６】  以下、本考案の実施の形態を説明する、
本考案は、表面１に、ボトルのキャップの外形状に合致する穴２から、放射状に折り曲げねじられ先端を外側にまるめた筒型の突起３の差込み口を有した穴を上部に設け、その下部を前方へ折り曲、さらに、その先を下方へおりまげ、同じように２つ目の段４を設けてその内部に台に弾力性のあるゴム等で保護する５カバーを有した、テーブル台や机の台にさしはさみ固定させペットボトルやビンのふたを差し込み口に入れボトル本体を回転させ力を入れずに開けることの出来るふた開け器具。
本考案は、以上のような構成によりなるペットボトル及びビンのふた開け器具である。
【実施例】
【０００７】  本考案は、以上のような構造で、これを使用するときはテーブルや机の縁に挟み口を入れて固定させ支点とし、上部の突起部を作用点にするので、両手でペットボトルの本体を持ちペットボトルのふたを筒状の次第に大きくなる突起の部分で合致する穴の中の相互の圧着状態にするところまで入れ、ボトル本体を両手または、片手で回転させることにより指や手首の弱い子ども老人病気の人にも負担をかけず容易に開けることが出来るペットボトル及びビンのふた開け器具である。【０００８】  上記は、突起部は平板上にボトルのふたの外形大きさの円を内側に十字及び米型の線に切断段し前方へ折り曲げ。次第に広がりねじりながら角度を付け放射状に広がり先端が外側へまがるのでペットボトルやビンのふたが差込部に入る大きさのびんやボトルのサイズまで対応できる。これに限らず全体の大きさや形状は適宜変更して設計される。【０００９】  尚、社会のどこにも組織があり会議は日常のものであるが、かつては湯飲茶碗にお茶を入れていた、この頃は茶碗を洗う手間が省ける手軽なペットボトル等が出るようになった会議参加の女性も加齢とともに手首の病気を持つ人は多く、このふた開け器具により楽になり、且つこの突起部にデザイン性のあるもので視覚的にも安全性のある筒で覆い、その周りと台の幅の部分が平面なため企業の広告にも出来るため、販売促進にもなる。【００１０】  また、はさみ部は２段になっているので机やテーブルの台の幅に応じて融通が利き表面の平板は合成樹脂やアルミ鉄板など作用点の力に対応できる素材を使い、またゴム当により台の保護をするので安心してふたをあける事ができる。
【図面の簡単な説明】
【００１１】
【図１】  本考案のボトルを突起部に差し込むときの斜視図
【図２】  ふた開け器具の正面図
【図３】  ふた開け器具の側面図
【図４】  ふた開け器具の斜視図
【符号の説明】
【００１２】  １    本体の平板
２    穴
３    筒状の突起
４    縁
５    ゴム
６    ボトル
【図１】
0003132966.tif 000003
【図２】
0003132966.tif 000004
【図３】
0003132966.tif 000005
【図４】
0003132966.tif 000006
(57)【要約】      （修正有）【課題】傘の柄部分にスライドカバーを設けロックする事で、傘を開く事を困難にし盗難を回避する傘を提供する。【解決手段】傘の柄部分にスライドカバー４を取り付け、傘を閉じている段階で、スライドカバーを傘先端方向にスライドさせ、ダイヤルロック６をする事により解除番号を知らない第３者にとっては傘を開くことが極めて困難になり盗難を回避することができる。【選択図】図２
0003132965.tif 000002
【実用新案登録請求の範囲】
【請求項１】
傘の柄部分にスライドするカバーを設け、傘を閉じた状態で、傘先端方向にカバーをスライドさせダイヤルロックすることで、スライドがロックされ傘を開く事ができなくなる事により盗難を回避する目的を持つ傘。
【考案の詳細な説明】
【技術分野】
【０００１】本考案は傘の柄部分に、スライドするカバーをダイヤルロックする機能を設けた、傘に関するものである。
【背景技術】
【０００２】従来この種の機能を有する傘は無く、一般的には盗難防止という目的では傘立てに鍵を取り付けたものが知られている。
【考案の開示】
【考案が解決しようとする課題】
【０００３】現在傘の盗難は大変多い。傘立てに鍵が付いているものもあるが、傘立てを設置したその場でしか使えず普及率も低い。
本考案は傘自体に鍵を付ける事により何処でも盗難の被害を回避できる。
【課題を解決するための手段】
【０００４】傘の柄部分にスライドするカバーを設け、傘を閉じた状態で、傘先端方向にカバーをスライドさせダイヤルロックすることで、スライドがロックされ傘を開く事ができなくなる事により盗難を回避する目的を持つ傘。
【考案の効果】
【０００５】傘の柄部分のスライドカバーを傘先端方向へ移動させ、ダイヤルロックすることで、正しい解除番号を知らない第３者は傘を開く事が出来なくなり、盗難を回避できる。
【実施例】
【０００６】以下添付図面に従って一実施例を説明する。
［図１］は本考案のスライドカバーがロックされない状態で、スライドカバーのみが断面図となっている。
１のスライドカバーが下がった状態で、傘を開いて使える状態である。
スライドカバーは断面図である。３のスライドカバーストッパーによりこの位置より柄方向へは移動しない。２のズレ防止ツメにより傘先端方向へ移動するには若干の力を必要とする。
［図２］は本考案のスライドカバーがロックされ傘を開けない状態の図である。
４のスライドカバーがロックされた状態で、傘を開けない状態である。
６のダイヤルロックで解除しない限り５のスライドカバーロックツメが固定されスライドカバーは傘先端方向にも、柄方向にも移動できない。
［図３］６のダイヤルロック内部。７のダイヤル側面図のように特定の番号の内側部分にのみ空間がありそれらが揃った場合だけ５のスライドカバーロックツメに圧力を与えることで８の内部稼動部分が柄方向へ移動し、５のスライドカバーロックツメが内部に移動しスライドカバーが柄方向に移動できる。８の内部稼動部分は９のスプリングによりカバーが通過した後はまた元のように外部へ出る。
【図面の簡単な説明】
【０００７】
【図１】本考案のスライドカバーがロックされない状態で、スライドカバーのみが断面図となっている。
【図２】本考案のスライドカバーがロックされ傘を開けない状態の図である。
【図３】本考案のダイヤルロックの断面図である。
【符号の説明】
【０００８】１  スライドカバー断面図
２  ズレ防止ツメ
３  スライドカバーストッパー
４  スライドカバー
５  スライドカバーロックツメ
６  ダイヤルロック
７  ダイヤル側面図
８  内部稼動部分
９  スプリング
【図１】
0003132965.tif 000003
【図２】
0003132965.tif 000004
【図３】
0003132965.tif 000005
(57)【要約】      （修正有）【課題】換気装置は室内気放出方式でなく外気吸入式でしかも無人で動作し、外気が乾燥した湿度が低い晴天時のみ動作することができる装置の提供。【解決手段】外気吸入方式のため吸入口を南か東側とし快晴でも雨上がりの湿度の高い時をさけ湿度センサーにより設定された設定値により湿度が低く乾燥した外気が晴天時のみ、無人で自動吸入送風機の動作によりチリ除去フイルターを外気が通過して乾燥した空気が室内に吸入され室内の湿度を下げカビの繁殖を防止し家の耐久年数を延ばす手助けをする効果があり、又、季節による太陽の軌道に最適の角度に湿度センサー付太陽電池発電板の方向を調整出来るようにした。【選択図】図１
0003132964.tif 000002
【実用新案登録請求の範囲】
【請求項１】
湿度センサー付太陽電池発電板と吸入送風機組み合わせによる簡易型無人太陽電池吸入送風装置。
【考案の詳細な説明】
【技術分野】
【０００１】  本考案は床上通風孔簡易型太陽電池利用外気吸入装置に関する。
【背景技術】
【０００２】  従来の換気装置は室内気放出方式である。
【考案の開示】
【考案が解決しようとする課題】
【０００３】  本考案の換気装置は室内気放出方式でなく外気吸入方式でしかも無人で動作し外気が乾燥した湿度が低い晴天時のみ動作する装置とする課題。
【課題を解決するための手段】
【０００４】  本考案は外気吸入方式のため吸入口は南か東側とし晴天でも雨上がりの湿度の高い時はさけ湿度の低い時のみ無人で動作するように太陽電池の電圧を計測して制御し湿度も湿度センサーで計測して設定した乾燥値で晴天時のみ動作するように調整し又夏、冬の太陽の高さ角度に合わせられるよう太陽電池パネル板の角度を調節可能機構付とし吸入パイプの室内側にチリ除去フイルターを内蔵、交換出来るようにして解決した。
【考案の効果】
【０００５】  本考案装置により特に長期海外旅行や一定の時期だけ利用する別荘などの長期空き家などの室内換気を無人で外気の湿度、天候を測定し乾燥した外気を室内に取り込み室内の湿度を低下しカビの繁殖を防止し家の耐久年数を延ばす手助けをする効果がある。
【考案を実施するための最良の形態】
【実施例】
【０００６】  本考案の図面に従って説明する、（図１）は簡易型太陽電池式外気吸入装置取付構造断面図で３湿度センサー付太陽電池板（角度調整可）４雨水防止ひさし５吸入送風機８装置パイプ１１チリ除去フイルターで構成された簡易型太陽電池式外気吸入装置です。【０００７】  本装置を１０家壁の９床面から高さ約２００ｍｍ位置の南か東面側の２家の外側面に吸入口を取り付ける。【０００８】  本装置で設定された晴天時太陽電池発電量と湿度センサーの乾燥度が設定値に合致すると３湿度センサー付太陽電池板により自動的に電気が５吸入送風機に送られ動作し６外気吸入口から矢印のように外気が吸い込まれ８装置パイプを通過し１１チリ除去フイルターを通り７室内吸入口から乾燥した外気が家内に供給され室内の湿度を低下しカビの繁殖を防止し耐久年数を延ばす手助けを行う。
【図面の簡単な説明】
【０００９】
【図１】  簡易型太陽電池式外気吸入装置取付構造断面図
【符号の説明】
【００１０】１  家の室内側面
２  家の外側面
３  湿度センサー付太陽電池板
４  雨水防止ひさし
５  吸入送風機
６  外気吸入口
７  室内吸入口
８  装置パイプ
９  床面
１０家壁
１１チリ除去フイルター
【図１】
0003132964.tif 000003